(57)【特許請求の範囲】
【請求項１】
簡易トイレと、
既設の配管と、
前記簡易トイレで受けた汚物を、前記既設の配管に案内する連結管部と、
を具備する簡易トイレ配管システムであって、
前記簡易トイレは、
便座部が配設されている本体フレームと、
前記本体フレームの下方に設けられる脚部フレームと、
を有し、
前記便座部には、下方に向かって開口した汚物排出口が形成されており、前記汚物排出口の下側には、前記連結管部における上流側管端部が接続されており、かつ、前記連結管部の下流側管端部が前記既設の配管に接続されていると共に、前記連結管部は、可撓性管部を含み、
前記脚部フレームは、
前記本体フレームから下方に向かって突き出されており、かつ前記本体フレームに対して突出長さを調整可能とする長さ調整構造を有しており、
前記脚部フレームの突出長さが調整されることで前記便座部の床面からの高さが調整可能であり、
前記可撓性管部は、上下方向に伸縮自在でかつ左右方向にも撓むことができることにより、前記便座部の床面からの高さが調整されるときに前記汚物排出口の上下移動に追従して伸縮可能である
ことを特徴とする簡易トイレ配管システム。
【請求項２】
前記連結管部における可撓性管部の内周面の少なくとも底部が、下流側に向かって下方傾斜する下方傾斜面、及び水平面のみで構成されている
請求項１に記載の簡易トイレ配管システム。
【請求項３】
前記本体フレームは、当該本体フレームを折り畳み可能とする折り畳み構造を有している
請求項１又は請求項２に記載の簡易トイレ配管システム。
【請求項４】
前記既設の配管には、蓋が脱着自在に取り付けられる蓋枠が装着された点検口を有する立管が接続されており、前記簡易トイレで受けた汚物が前記蓋枠の枠内を介して前記立管に流入する構造であって、
前記蓋枠には、前記蓋とは異なる新規取付部材が取り付けられてなり、
前記新規取付部材は、
中空部が貫通状に形成された新規取付部材本体と、
該新規取付部材本体の外周面に配され、該新規取付部材が前記蓋枠に取り付けられた状態で該蓋枠の内周面のうち、前記蓋が取り付けられる部分に嵌合する嵌合部と、
を備え、
該新規取付部材が前記蓋枠に取り付けられた状態で、前記新規取付部材の中空部は上流側と下流側とに各々開口され、該新規取付部材本体の上流側の開口に、前記簡易トイレ側の連結管部が接続されてなる
請求項１乃至請求項３のいずれか１項に記載の簡易トイレ配管システム。
【請求項５】
請求項４に記載された前記簡易トイレ配管システムを施工するための配管方法であって、  前記蓋枠から蓋を取り外す工程と、
前記蓋を取り外した前記蓋枠に、前記新規取付部材を取り付ける工程と、
前記新規取付部材に、前記連結管部を接続する工程と、
を含むことを特徴とする簡易トイレ配管システムにおける配管方法。
【請求項６】
請求項１乃至請求項４のいずれか１項に記載の簡易トイレ配管システムに用いられる簡易トイレであって、
前記汚物排出口が、前記脚部フレームの下端よりも上方に位置している
ことを特徴とする簡易トイレ。
【発明の詳細な説明】
【技術分野】
【０００１】
本発明は、簡易トイレ配管システム、簡易トイレ配管システムにおける配管方法、及び簡易トイレ配管システムに用いられる簡易トイレに関する。
【背景技術】
【０００２】
例えば地震や大雨による土砂災害時あるいは大きな交通網の寸断や事故等によって使用される避難所において設置される簡易トイレが種々提案されている。
【０００３】
例えば特許文献１には、下水道のマンホール口上面に敷設可能で、汚物を下水道内に落下させるための通孔を有する敷板と、該敷板の外周側に立設される用便者を隠すための囲い部とにより構成した災害時用トイレが開示されている。
【０００４】
また、特許文献２には、マンホールよりも広面積であってかつ中心部に便孔が形成されたベース板を設け、該ベース板に主フレームの下部を回動可能に連結するとともに、便シュートの下部を便孔に嵌合させたマンホール用便座装置が開示されている。
【先行技術文献】
【特許文献】
【０００５】
【特許文献１】特許第２６５２４８４号公報
【特許文献２】特開２００８−１６１５１２号公報
【発明の概要】
【発明が解決しようとする課題】
【０００６】
しかしながら、上記特許文献１，２の構成にあっては、トイレの設置位置がマンホールの直上に限定されてしまうため、道路の中央や建物の入り口前、又は人が入ることが困難な狭小な場所等のようにトイレを設置するのにふさわしくない位置にあるマンホールを利用することは困難であった。さらに、上述のようにマンホールの蓋に直接簡易トイレを連結する構成にあっては、便座から内部を直接視認できる構造であるため、汚物が見えた場合に使用者に不快感を与えるという問題がある。また、子供が使用する場合には、マンホールに落ちてしまいそうになるという恐怖感を抱かせる問題もある。
【０００７】
そこで本発明は、既設の配管を活用しつつも、設置位置の自由度が高い簡易トイレ配管システム、簡易トイレ配管システムにおける配管方法、及び簡易トイレを提供することを目的とする。
【課題を解決するための手段】
【０００８】
本発明は、簡易トイレと、既設の配管と、前記簡易トイレで受けた汚物を、前記既設の配管に案内する連結管部と、を具備する簡易トイレ配管システムであって、前記簡易トイレは、便座部が配設されている本体フレームと、前記本体フレームの下方に設けられる脚部フレームと、を有し、前記便座部には、下方に向かって開口した汚物排出口が形成されており、前記汚物排出口の下側には、前記連結管部における上流側管端部が接続されており、かつ、前記連結管部の下流側管端部が前記既設の配管に接続されていると共に、前記連結管部は、可撓性管部を含むことを特徴とする簡易トイレ配管システムである。
【０００９】
かかる構成にあっては、汚物の排出先として既設の配管を利用するので、専門業者でなくても簡易トイレを容易に設置することができる。そして、連結管部は、可撓性管部を含むため、当該可撓性管部の上流側管端部の位置と下流側管端部の位置とを、既設の配管を基準として厳密に定める必要がない。このため、簡易トイレを設置する際に、設置位置に関して融通が利くという利点がある。さらに、簡易トイレを設置した後であっても、簡易トイレの位置変更が容易である。
【００１０】
また、前記連結管部における可撓性管部の内周面の少なくとも底部が、下流側に向かって下方傾斜する下方傾斜面、及び水平面のみで構成されていることが望ましい。
【００１１】
かかる構成とすることにより、連結管部における可撓性管部に、汚物が溜まってしまうような箇所が形成されない。仮に、可撓性管部の内周面の少なくとも底部に、下流側に向かって上方傾斜する面が形成されていると、そこで汚物が滞留してしまい、臭気等の発生の原因となってしまう。
【００１２】
また、前記連結管部の上流側管端部及び下流側管端部における各管軸が、共に上下方向に沿っており、かつ互いに偏芯した位置に配置されている構成が望ましい。
【００１３】
かかる構成にあっては、連結管部の両管端部の各管軸が偏芯（偏心）しているため、汚物排出口より先の管の内部が使用者側から直接視認しにくくなる。したがって、汚物が見えにくくなり、使用者に与える不快感を低減することができる。
【００１４】
さらに、前記本体フレームは、当該本体フレームを折り畳み可能とする折り畳み構造を有していることが望ましい。
【００１５】
かかる構成にあっては、簡易トイレが折り畳み可能であるため、収納時に省スペース化を図ることができる。
【００１６】
そして、前記脚部フレームは、前記本体フレームから下方に向かって突き出されており、かつ前記本体フレームに対して突出長さを調整可能とする長さ調整構造を有しており、前記脚部フレームの突出長さが調整されることで前記便座部の床面からの高さが調整可能であることが望ましい。
【００１７】
かかる構成にあっては、前記簡易トイレが高さ調整可能であるため、使用者の体格の違いに応じて柔軟に対応できる。また、汚物排出口と連結管部とを接続させた状態のままで便座部の高さ調整を行っても、前記連結管部の可撓性管部は柔軟に追従することができる。
【００１８】
また、前記既設の配管には、蓋が脱着自在に取り付けられる蓋枠が装着された点検口を有する立管が接続されており、前記簡易トイレで受けた汚物が前記蓋枠の枠内を介して前記立管に流入する構造であって、前記蓋枠には、前記蓋とは異なる新規取付部材が取り付けられてなり、前記新規取付部材は、中空部が貫通状に形成された新規取付部材本体と、該新規取付部材本体の外周面に配され、該新規取付部材が前記蓋枠に取り付けられた状態で該蓋枠の内周面のうち、前記蓋が取り付けられる部分に嵌合する嵌合部と、を備え、該新規取付部材が前記蓋枠に取り付けられた状態で、前記新規取付部材の中空部は上流側と下流側とに各々開口され、該新規取付部材本体の上流側の開口に、前記簡易トイレ側の連結管部が接続されてなる構成が提案される。
【００１９】
かかる構成にあっては、前記簡易トイレから排出された汚物は、前記新規取付部材を通って既設の配管内に案内される。したがって、既設の配管周囲の地面を改めて掘削することなく簡易トイレの汚物処理を行うことができ、施工時間やコストの大幅な低減が可能となる。勿論、仮に簡易トイレを撤去する場合には、不要となった前記新規取付部材を撤去し、かつ、前記点検口に穴のない蓋を取り付ければよいため、最小限の手間をかけるだけで元の構造に容易に回復させることができる。
【００２０】
さらに本発明は、前記簡易トイレ配管システムを施工するための配管方法であって、前記蓋枠から蓋を取り外す工程と、前記蓋を取り外した前記蓋枠に、前記新規取付部材を取り付ける工程と、前記新規取付部材に、前記連結管部を接続する工程と、を含むことを特徴とする簡易トイレ配管システムにおける配管方法である。
【００２１】
かかる構成にあっては、緊急に簡易トイレを設置することになったとしても、前記簡易トイレ配管システムを迅速に配設することができる。
【００２２】
またさらに、本発明は、前記簡易トイレ配管システムに用いられる簡易トイレであって、前記汚物排出口が、前記脚部フレームの下端よりも上方に位置していることを特徴とする簡易トイレである。
【００２３】
かかる構成にあっては、前記汚物排出口と床面との間に生じた隙間に、前記連結管部を配置することができる。これによって、連結管部を地面に埋設することなく簡易トイレ配管システムとすることができ、専門業者に頼らずとも簡易トイレを迅速に配設することができる。また、前記隙間は、管路を構築する際の施工スペースとしても機能することになり、作業性が向上する。
【図面の簡単な説明】
【００２４】
【図１】簡易トイレの外観斜視図である。
【図２】簡易トイレを下方から示す斜視図である。
【図３】折り畳んだ状態の簡易トイレを示す側面図である。
【図４】（ａ）は、簡易トイレ配管システムの概略図であり、（ｂ）は他の構成の簡易トイレ配管システムの概略図である。
【図５】さらに他の構成の簡易トイレ配管システムの概略図である。
【図６】図５に示す簡易トイレ配管システムの要部を拡大して示す拡大縦断面図である。
【図７】継手を示し、（ａ）は平面図、（ｂ）は正面図、（ｃ）は底面図、（ｄ）は縦断面図、（ｅ）は切断線部によってフランジ部の外周縁部を切除した継手の縦断面図である。
【図８】簡易トイレ配管システムにおける配管方法の手順を説明する説明図である。
【図９】図８から続く、簡易トイレ配管システムにおける配管方法の手順を説明する説明図である。
【図１０】簡易トイレ配管システムの使用状態を説明する概要平面図である。
【図１１】他の簡易トイレ配管システムの要部を拡大して示す拡大縦断面図である。
【図１２】他の継手を示し、（ａ）は平面図、（ｂ）は正面図、（ｃ）は底面図、（ｄ）は縦断面図である。
【発明を実施するための形態】
【００２５】
以下、本発明を具体化した実施例を詳細に説明する。なお、本発明は、下記に示す実施例に限定されることはなく、適宜設計変更が可能である。
【００２６】
図１，図２に示すように、簡易トイレ５０は、椅子形状を有しており、便座部９０が配設されている本体フレーム６０を具備している。
【００２７】
本体フレーム６０は、正面視逆Ｕ字状のメインフレーム６１を有し、上部には背あて部６２が配設され、中間部には左右一対の肘掛け部６３，６３が配設されている。なお、肘掛け部６３は上方に向かって跳ね上げ自在に取り付けられている。
【００２８】
また、メインフレーム６１の下部には、メインフレーム６１の下部を連結するリンクパイプ支持バー６５が左右方向に差し渡されている。さらに、リンクパイプ支持バー６５には、リンクパイプ支持バー６５を軸として回動自在な左右一対のリンクパイプ６７，６７の一端が取り付けられている。
【００２９】
また、メインフレーム６１には、メインフレーム６１に軸支される左右一対の後脚フレーム７１，７１が配設されている。そして、左右一対のリンクパイプ６７，６７の他端と後脚フレーム７１，７１の上端部とが左右一対の支持プレート７３，７３を介して回動自在に連結されている。また、左右一対の後脚フレーム７１，７１は後脚連結バー７５を介して連結されている。本実施例においては、後脚連結バー７５は２個設けられている。
【００３０】
さらに、メインフレーム６１の下端及び後脚フレーム７１の各下端からは、それぞれ脚部フレーム７７が下方に向かって突き出されている。
【００３１】
脚部フレーム７７は、メインフレーム６１及び後脚フレーム７１に対して下方への突出長さを調整可能とする長さ調整構造８０を有している。詳述すると、メインフレーム６１及び後脚フレーム７１の各下端は、脚部フレーム７７内に挿入された入れ子状とされている。また、脚部フレーム７７には長さ調整孔８２が複数（３個）設けられており、長さ調整孔８２のいずれかに長さ調整ピン８１が差し入れられることで、脚部フレーム７７を所定の長さで固定することができる。なお、長さ調整ピン８１及び長さ調整孔８２によって長さ調整構造８０が構成されている。
【００３２】
本体フレーム６０に配設されている便座部９０は、本体フレーム６０の支持プレート７３に固定されている中空円盤状のベース部９１を有している。
【００３３】
さらに、便座部９０は、汚物排出口９７から下方に延出された部分を有するベース部９１とは異なる別部材で構成されているじょうご形状の汚物受け部９５を有している。汚物受け部９５は、外周縁部がベース部９１に支持されると共に、ベース部９１に対して脱着自在であり、かつ下方に向かって開口した汚物排出口９７（図１等参照）が形成されている。
【００３４】
なお、汚物受け部９５は、じょうご形状であるため、ベース部９１から取り外した状態で積み重ね可能であり、複数個の汚物受け部９５をコンパクトに収納することが可能である。また、汚物受け部９５を簡易トイレ５０から取り外した上で個別に洗浄することが可能である。なお、汚物受け部９５は、ベース部９１と一体成形されていてもよい。汚物受け部９５とベース部９１とが一体であると、簡易トイレ５０を折り畳んで保管する際の管理が簡素化される。
【００３５】
なお、汚物排出口９７（すなわち汚物受け部９５の下端）は、脚部フレーム７７の下端よりも上方に位置する寸法形状となっている。
【００３６】
また、図１に示すように、汚物受け部９５における外周縁部の上部には、使用者が着座する中空円盤状の座部９９が配置されている。座部９９の後部は、ベース部９１に軸支されており、座部９９は上方に向かって回動可能とされている。
【００３７】
また、本体フレーム６０には、折り畳み構造１１０が設けられている。以下に折り畳み構造１１０について詳述する。
【００３８】
左右一対の後脚フレーム７１，７１の上部には、後側に向かって開口したロックピン挿通孔１１１がそれぞれ設けられている。また、便座部９０のベース部９１における下側後部には、ロックピン挿通孔１１１に挿通される左右一対のロックピン１１２，１１２がロックベルト１１３を介して連結されている。なお、ロックピン１１２はバネによって前方へ付勢されてロックピン挿通孔１１１に挿通されている（図２参照）。
【００３９】
そして、ロックベルト１１３を後方へ引っ張ると、ロックピン１１２がロックピン挿通孔１１１から抜脱し、便座部９０が固定されている支持プレート７３と、メインフレーム６１と、リンクパイプ６７と、後脚フレーム７１とがそれぞれリンクして左右方向を軸として回動し、図３に示すように起立状態を維持したままコンパクトに折り畳むことができる。
【００４０】
簡易トイレ５０を折り畳む際には、汚物受け部９５を取り外して折り畳むことで、非常にコンパクトに収納することができる。この際、汚物受け部９５が本体フレーム６０と干渉することがないので、限られたスペースに可能な限り多数の簡易トイレ５０を収納することができる。
【００４１】
本実施例においては、支持プレート７３、メインフレーム６１、リンクパイプ６７、及び後脚フレーム７１のリンク構造と、ロックピン挿通孔１１１と、ロックピン１１２と、ロックベルト１１３とによって折り畳み構造１１０が構成されている。
【００４２】
上記した簡易トイレ５０は、例えば既設の配管と連結した連結管部の上流側管端部が接続されることによって、簡易トイレ配管システムを構築することができる。
【００４３】
図４（ａ）に示すように、簡易トイレ５０を設置した場合には、簡易トイレ５０から排出される汚物を、地中に埋設された既設の配管５に導入する簡易トイレ配管システム１Ａを構築することが提案される。
【００４４】
以下、簡易トイレ配管システム１Ａについて説明する。
図４（ａ）に示すように、簡易トイレ５０に設けられた汚物排出口９７の下側には、汚物を含む汚水を既設の配管５に案内する連結管部１０が接続されている。
【００４５】
すなわち、汚物排出口９７の下側には、連結管部１０における上流側管端部１１が接続されている。上流側管端部１１は、上方に向かって開口しており、上下方向に伸縮自在でかつ左右方向にも撓むことができる可撓性管部１１ａが備えられている。なお、可撓性管部１１ａは、蛇腹管で構成されることが好ましいが、公知のゴムホース等で構成してもよい。
【００４６】
ここで、簡易トイレ５０は、脚部フレーム７７（図１参照）を位置調整して便座高さを調整することができるところ、このように便座の高さを変更した場合、可撓性管部１１ａが汚物排出口９７の上下移動に追従して伸縮可能である。このため、簡易トイレ５０の高さを調整するたびに連結管部１０の配管の位置を修正する必要はない。
【００４７】
なお、可撓性管部１１ａの内周面の底部は、下流側に向かって下方傾斜する下方傾斜面、及び水平面のみで構成されている。これにより、可撓性管部１１ａ内で汚物が滞留してしまうことを抑制できる。
【００４８】
ところで、上流側管端部１１の開口径は、簡易トイレ５０の汚物排出口９７の開口径よりも大とされており、上流側管端部１１内に汚物排出口９７（すなわち汚物受け部９５の下端）が挿入された状態で、図示しないテープによって外部に配管内の臭気が漏出しないように閉塞される。上述のとおり、汚物排出口９７は、脚部フレーム７７の下端よりも上方に位置しているため、連結管部１０を汚物排出口９７と床面との間に生じた隙間に配置することができ、連結管部１０を地面に埋設するといった余計な手間をかける必要がない。
【００４９】
また、可撓性管部１１ａには、汚物を既設の配管５に案内するためのエルボ管１４が接続され、エルボ管１４にはさらに、上流側直管１６が接続されている。
【００５０】
なお、可撓性管部１１ａを含む上流側管端部１１、エルボ管１４、及び上流側直管１６によって連結管部１０が構成されている。なお、上流側直管１６や既設の配管５の接続構造の詳細は後述する。
【００５１】
上述した構成にあっては、汚物の排出先として既設の配管５を利用するので、専門業者でなくても簡易トイレ５０を容易に設置することができる。また、上記構成は、連結管部１０の上流側管端部及び下流側管端部における各管軸が、共に上下方向に沿っており、かつ互いに偏芯した位置に配置されている。このため、汚物排出口９７より先の管の内部が使用者側から直接視認しにくくなる。したがって、汚物が見えにくくなり、使用者に与える不快感を低減することができる。
【００５２】
また、エルボ管１４と上流側直管１６とを使用せずに、図４（ｂ）に示すような態様で簡易トイレ配管システム１Ｂを構築してもよい。かかる構成にあっては、可撓性管部１１ａの上流側管端部の管軸と下流側管端部の管軸とが共に上下方向に沿っており、しかも可撓性管部１１ａの内周面の底部が下方傾斜面で構成されているため、汚物が可撓性管部１１ａ内で留まることなくなだらかに流下する。
【００５３】
さらに、簡易トイレ配管システム１Ｂにあっては、便座部９０が高さ調整された場合に、可撓性管部１１ａ全体が自在に湾曲して汚物排出口９７の高さ位置の変動に追従することができる。
【００５４】
次に、図５に従って、簡易トイレ配管システム１Ｃについて説明する。上記した簡易トイレ配管システム１Ａ，１Ｂと同様な内容は適宜説明を省略する。
【００５５】
簡易トイレ５０に設けられた汚物排出口９７の下側には、連結管部１０が接続されている。
【００５６】
すなわち、汚物排出口９７の下側には、連結管部１０における上流側管端部１１が接続されている。上流側管端部１１は、可撓性管部１１ａと、可撓性管部１１ａの下側に接続されたエルボ管１１ｂとが備えられている。なお、可撓性管部１１ａは、公知のゴムホースや蛇腹管等で構成することができる。
【００５７】
また、エルボ管１１ｂには、汚物を既設の配管５に案内するための直管１３が接続されている。直管１３の他端には下向きにエルボ管１４が接続され、エルボ管１４にはさらに、上流側直管１６が接続されている。
【００５８】
可撓性管部１１ａとエルボ管１１ｂとを含む上流側管端部１１、直管１３、エルボ管１４、及び上流側直管１６によって連結管部１０が構成されている。
【００５９】
一方、図５，図６に示すように、既設の配管５には、立管８が接続されており、立管８の上端に点検口７Ａが形成されている。さらに、点検口７Ａには、蓋枠２０Ａが装着されており、蓋枠２０Ａには、管体を主体とする新規取付部材としての継手３０Ａが取り付けられている。なお、後述するように、蓋枠２０Ａは、本来、蓋枠２０Ａの開口２１Ａを閉塞する蓋６（図８ａ参照）が脱着自在に取り付けられていたものである。
【００６０】
さらに、蓋枠２０Ａの内周面と継手３０Ａとの間には、シール部材としての円環状のパッキン１５が弾縮状態で配置されている。これにより、蓋枠２０Ａと継手３０Ａとの間から既設の配管５内の臭気が外部に漏出することを防止することができる。また、既設の蓋枠２０Ａの内部構造と、新たに取り付ける継手３０Ａの嵌合部形状が一致しない場合には、相互の間に生じる若干の隙間を、パッキン１５により閉塞することが可能となる。
【００６１】
そして、エルボ管１４と継手３０Ａの上流側管端とが上流側直管１６によって接続されている。
【００６２】
さらに継手３０Ａの下流側管端には、立管８内に配置された下流側直管１７が接続されている。そして、下流側直管１７の下端は、立管８の下端部近傍に配置されている。なお、下流側直管１７により、下流側配管が構成されている。
【００６３】
上記構成により、簡易トイレ５０から排出された汚物は、連結管部１０を通って継手３０Ａ内に案内され、下流側直管１７の下流側の管口から既設の配管５内に導入される。なお、配管５には、立管８が接続される既設の排水ますや、該排水ますに接続されている既設の管材が含まれる。
【００６４】
次に、継手３０Ａについてさらに詳述する。
継手３０Ａは、図７（ａ），（ｂ），（ｃ），（ｄ）に示すように、管状で中空部が貫通状に形成された新規取付部材本体としての継手本体３５と、継手本体３５の上端において、継手本体３５の外周面に形成された嵌合部としてのフランジ部３１と、を備えている。
【００６５】
継手本体３５の内周面には、継手本体３５の中空部の軸心に向かって突出し、かつ軸心周りに周状に形成された段部３８が設けられている。そして、段部３８の上側（前記フランジ部３１側）には、図６に示したように、上流側直管１６の下端１６ａが突き当てられる。これに対し、段部３８の下側には、下流側直管１７の上端１７ａが突き当てられる。このように下流側直管１７が設けられていると、汚物が立管８の内壁面に飛散して内壁面を汚してしまう、ということが可及的に抑制され、点検口７Ａの衛生環境が好適に維持される。
【００６６】
さらに、継手本体３５において、段部３８より上流側の内周面にあっては、段部３８に向かって内径が縮径した上流側テーパー部４１が設けられている。一方、段部３８より下流側の内周面にあっては、段部３８に向かって内径が縮径した下流側テーパー部４２が設けられている。かかる構成により、管の接続が容易となっている。
【００６７】
また、フランジ部３１の外周面であって、継手３０Ａの上端面となる上面３６は、平坦形状とされており、上面３６には溝形状の切断線部３７が軸線を中心として周状に設けられている。なお、切断線部３７については後述する。
【００６８】
さらに、フランジ部３１の下側外周面３２は、蓋枠２０Ａの内周面２２Ａの蓋６が取り付けられる部分の形状に対応するように、上側に向かって拡径するテーパー形状をなしている。
【００６９】
次に、簡易トイレ配管システム１Ａの施工手順を図８，図９に従って説明する。
簡易トイレ５０が設置される前は、図８（ａ）に示すように、既設の配管５の点検口７Ａは蓋枠２０Ａに脱着自在に取り付けられた蓋６によって完全に遮蔽されている。そして、簡易トイレ５０を新規に設置することに伴い、蓋６を蓋枠２０Ａから取り外す（工程１）。
【００７０】
次に、図８（ｂ）に示すように、蓋枠２０Ａに対応する継手３０Ａの下端の開口に、下流側直管１７を接続する（工程２）。このとき、継手３０Ａの段部３８に下流側直管１７の上端１７ａが突き当るまで下流側直管１７を継手３０Ａ内に挿入する。なお、継手３０Ａと下流側直管１７とは接着剤等で接合してもよい。
【００７１】
そして、図９（ａ）に示すように、蓋６が取り外された蓋枠２０Ａに、下流側直管１７が接続された継手３０Ａを取り付ける（工程３）。このとき、事前に継手３０Ａの継手本体３５に前記パッキン１５を取り付けておく。パッキン１５によって継手３０Ａの外周面と蓋枠２０Ａの内周面との隙間を無くし、配管５内の臭気を外部に漏出することを抑制することができる。また、蓋枠２０Ａの内周面２２Ａにおける蓋６が取り付けられる部分と継手３０Ａの下側外周面３２とが各々対応する形状を有しているので、がたつきなく相互を適嵌させることができる。ただし、パッキン１５は、現場で取り付ける必要はなく、例えば事前に工場等で継手３０Ａに装着しておいてもよい。
【００７２】
さらに、図９（ｂ）に示すように、継手３０Ａの上端の開口に、エルボ管１４が接続された上流側直管１６を接続する（工程４）。このとき、継手３０Ａの段部３８に上流側直管１６の下端１６ａが突き当るまで上流側直管１６を該継手３０Ａ内に挿入する。このように、段部３８によって上流側直管１６と下流側直管１７とが互いに直接突き当てられることが防止されているため、上流側直管１６又は下流側直管１７が他方の直管に押し出されて継手３０Ａから脱落してしまうことがない。なお、継手３０Ａと上流側直管１６とは、接着剤等で接合してもよい。また、継手３０Ａに上流側直管１６を接続した後に上流側直管１６にエルボ管１４を接続してもよい。
【００７３】
そして、上述した工程１〜４により、図５に示すような簡易トイレ配管システム１Ｃが構築される。
【００７４】
これまでに述べた、工程１から工程４を含む排水配管方法は、簡易トイレ５０を設置するために点検口７Ａ周囲の地面を掘削する等の工程が不要となるため、迅速に簡易トイレ５０を使用可能状態とすることができる。しかも、点検口７Ａから離れた位置に簡易トイレ５０を設置することが可能であるため、簡易トイレ５０の設置位置の自由度が格段に向上する。また、図１０に示すように、可撓性管部１１ａを撓ませることで、点検口７Ａ周りの所望の位置に簡易トイレ５０を適宜、位置変更することができる。
【００７５】
また、仮に簡易トイレ５０が不要となって簡易トイレ配管システム１Ｃを撤去することになったとしても、再度地面を掘削する必要もなく、不要となった継手３０Ａ等を取り除いた後、元の蓋６を取り付け直せば、元の構造に容易に回復することができる。なお、各管材の取付順序は、施工現場の状況によって適宜変更することが可能である。また、各管材を使用する際には、施工現場の状況に応じて当該施工現場で適正な長さに切断して使用することができる。また、例えばエルボ管１４と継手３０Ａとを直接接続するようにしてもよい。
【００７６】
ところで、簡易トイレ５０の汚物を排出するための簡易トイレ配管システム１Ｃを構築しようとする際にあっては、汚物を導入しようとする点検口７Ａに装着された蓋枠２０Ａに対して、準備した継手３０Ａをそのまま使用することができない場合がある。以下、蓋枠２０Ａとは形状が異なる蓋枠２０Ｂに、継手３０Ａを使用して構築しようとする簡易トイレ配管システム１Ｄについて説明する。
【００７７】
図１１に示すように、蓋枠２０Ｂは、蓋枠２０Ａと異なり、略垂直な内周面２２Ｂを有している。
【００７８】
かかる場合に、継手３０Ａにあっては、サンダー等の工具を使用して、切断線部３７（図７ａ参照）に沿ってフランジ部３１の外周縁部を切除する。そして、図７（ｅ）に示すような、フランジ部３１の下側外周面３２を、蓋枠２０Ｂの内周面２２Ｂに対応した下側外周面３３を形成する。このように、継手３０Ａは、フランジ部３１の外周縁部を切除することでフランジ部３１の外径Ｄ１（図７ｄ参照）を、それよりも径小な外径Ｄ２に変更することが可能となっている。かかる構成とすることにより、継手３０Ａを蓋枠２０Ｂに適切に取り付けて、簡易トイレ配管システム１Ｄを構築することができる。
【００７９】
なお、蓋枠２０Ｂが用いられている簡易トイレ配管システム１Ｄを構築する場合は、継手３０Ａの前記フランジ部３１から外周縁部を切除する工程を、蓋枠２０Ｂに継手３０Ａを取り付ける前に実行すればよい。
【００８０】
かかる構成とすることにより、例えば汚物を導入しようとする既設の配管５に、蓋枠２０Ａとは内周面形状の異なる蓋枠２０Ｂが採用されていても、異種の蓋枠２０Ｂに適するようにあらかじめ形成されている切断線部３７を基準にしてフランジ部３１の外周縁部を切除することにより、蓋枠２０Ｂの内周面形状に合わせた継手３０Ａとすることができるため、あらかじめ多数種類の継手を用意しておく必要が無くなる。特に、簡易トイレ５０を設置する際は緊急を要する場合もあり、迅速に施工できる構成が望まれる。
【００８１】
また、これまでに述べた実施例にあって、切断線部３７の形状は溝形状に限定されることがなく、切除される部分を示す指標が表示されているものであってもよい。また、継手３０Ａのフランジ部３１の外形は円板状に限定されず、蓋枠２０Ａ，２０Ｂに合わせて他の形状の外形であっても勿論よい。また、継手３０Ａに対して切断線部３７が単数設けられていてもよいし、複数設けられていてもよい。
【００８２】
また、パッキン１５の配設位置は、上記構成の位置に限定されることはなく、適宜変更することが可能である。また、簡易トイレ配管システム１Ａ〜１Ｄを構成する管材は、特に限定されるものではない。特に、可撓性管部１１ａは、簡易トイレ５０が水平方向に沿って位置変更した場合に追従できるような可撓性を有する部材であればよく、また便座部９０の高さが変更される場合にはこれに追従できる可撓性を有する部材であればよい。また、下流側直管１７の下端は、既設の配管５の下端近傍まで配置されることが望ましいが、かかる構成に限定されるものではない。なお、既設の配管５は、通常時に排水を排出する配管であって、専門業者等によって工事が必要な配管であればよい。したがって、地中に埋設された配管だけでなく、屋内にて床下に設けられた配管なども含み、この意味で、本発明にかかる簡易トイレ５０は、屋外でも屋内でも区別なく利用することができる。例えば、既設の配管５の上流側には、屋内配管が接続されていたり、独立した配管等が接続されていたりしており、本発明にかかる簡易トイレ５０を使用する際には、既に施工済みである配管が既設の配管に相当する。
【００８３】
図１１に従って、他の継手３０Ｂを説明する。なお、上記した継手３０Ａと同様の構成であるものは、同じ符号を付し、また説明を簡略するものとする。
【００８４】
継手３０Ｂにあっては、継手３０Ａとは異なり切断線部３７が設けられていない。継手３０Ｂにあっては、フランジ部３１がそのまま適嵌する蓋枠２０Ａが適用されていることが明らかな場合に、簡易トイレ配管システム１Ａを迅速に構築することができる。
【００８５】
これまでに述べた簡易トイレ配管システム１Ａ〜１Ｄは、排水ます、又は雨水ます等にも勿論適用可能である。
【００８６】
また、新規取付部材として、継手３０Ａを例示して説明したが、新規取付部材としては、板形状の蓋体であってもよい。例えば、蓋体の中央に穴が開口しており、穴に上流側直管１６が接続される構成でもよい。なお、かかる場合には、蓋体の外周部が嵌合部に相当し、外周部に切断線部３７が設けられていてもよい。
【００８７】
上記実施例において、各部の寸法形状は適宜自由に選択可能である。例えば長さ調整構造８０や折り畳み構造１１０は上記以外の構成であっても構わない。また、簡易トイレ５０は、通常に使用するトイレが使用できない状況において使用者等が自ら組み立てることで使用可能となる構成であれば、他の構成であってもよい。汚物受け部９５の形状は、下方に向かって開口し、汚物を簡易トイレ５０から排出させるための開口部であって使用者側の開口面に形成されている汚物排出口９７が設けられていればじょうご形状である必要はないが、トイレとして使用すること、あるいは積み重ね可能である点を満たすために、便座と対向する方向に向けて設けられたじょうご形状であることが望ましい。また、連結管部１０は、簡易トイレ５０を設置する際に新規に取り付けられる部材でもよいし、あらかじめ出荷時から簡易トイレ５０に接続されている部材であってもよい。また、前記脚部フレーム７７は、これまでに述べた構成に代えて、本体フレーム６０の下方に設けられた台座形状であってもよい。
【００８８】
当然のことであるが、簡易トイレ５０を設置する場合、外部から視認できないように囲う周壁やパーティション等を設けることが望ましい。
【００８９】
また、簡易トイレ５０を連結管部１０によって既設の配管５と接続する場合、１個の連結管部１０で１個の点検口７Ａ，７Ｂを使用する構成以外に、複数の流入口を有する集合管を用いて、複数の流入口に複数の連結管部１０を接続し、複数の簡易トイレ５０から１個の点検口７Ａ，７Ｂを介して既設の配管５に汚物を案内する構成であっても構わない。このように簡易トイレ５０を隣接して複数配置することが容易であるため、多くの人が使用することが想定される場所において効果的に活用することができる。また、例えば便座を高く設定した大人用と、便座を低く設定した子供用とを並設することができるため、使用者の体格の違いに応じて柔軟に便座の高さを調整することができる。
【符号の説明】
【００９０】
１Ａ，１Ｂ                簡易トイレ配管システム
５                        既設の配管
６                        蓋
７Ａ，７Ｂ                点検口
８                        立管
１０                      連結管部
１１ａ                    可撓性管部
１６                      上流側直管（上流側配管）
１７                      下流側直管（下流側配管）
２０Ａ，２０Ｂ            蓋枠
２２Ａ，２２Ｂ            内周面
３０Ａ，３０Ｂ            継手（新規取付部材）
３１                      フランジ部（嵌合部）
３５                      継手本体（新規取付部材本体）
３７                      切断線部
３８                      段部
５０                      簡易トイレ
６０                      本体フレーム
７７                      脚部フレーム
８０                      長さ調整構造
９０                      便座部
９７                      汚物排出口
１１０                    折り畳み構造
【図１】
0006718310.tif 000002
【図２】
0006718310.tif 000003
【図３】
0006718310.tif 000004
【図４】
0006718310.tif 000005
【図５】
0006718310.tif 000006
【図６】
0006718310.tif 000007
【図７】
0006718310.tif 000008
【図８】
0006718310.tif 000009
【図９】
0006718310.tif 000010
【図１０】
0006718310.tif 000011
【図１１】
0006718310.tif 000012
【図１２】
0006718310.tif 000013